【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
ネットワーク・ノードにおける１つのメディア非依存ハンドオフ機能モジュールにおいて、シグナリングを受信するステップであって、前記シグナリングが別のネットワーク・ノードの別のメディア非依存ハンドオフ機能モジュールによってサポートされる１つ以上のイベントに関する情報を含み、前記シグナリングは、前記１つ以上のイベントを取得する前に、受信される、ステップと、
前記シグナリングに応答して、前記別のメディア非依存ハンドオフ機能モジュールによってサポートされた前記１つ以上のイベントを取得する前記１つのメディア非依存ハンドオフ機能のための情報を含む対応するシグナリングを提供するステップと、を含む方法。
【請求項２】
前記対応するシグナリングが、前記１つのメディア非依存ハンドオフ機能モジュールが、特定のイベントを取得するための、あるいは、イベントのリストまたは情報のタイプを要求するための情報を含む、請求項１に記載の方法。
【請求項３】
前記ネットワーク・ノードは、ノード、ポイント、端末、あるいはユーザ機器である、請求項１に記載の方法。
【請求項４】
前記１つのメディア非依存ハンドオフ機能モジュールにより受信したシグナリングが、イベント・ディスクリプタ・コンテナ、情報ディスクリプタ・コンテナまたはこれらの組み合わせを含む、請求項１に記載の方法。
【請求項５】
前記イベント・ディスクリプタ・コンテナは、イベント・ディスクリプタ・コンテナ・ディスクリプタと１組のイベント・ディスクリプタとの組み合わせを含む、請求項４に記載の方法。
【請求項６】
前記イベント・ディスクリプタ・コンテナ・ディスクリプタは、それが、サポートされたイベントに関するクエリ、または、クエリに対する応答において使用されているかどうか、サポートされたイベントを発行するためのメッセージにおいて使用されているかどうか、イベントを取得するための要求／応答において使用されているかどうか、またはこれらの組み合わせに関する情報を有している、請求項５に記載の方法。
【請求項７】
各イベント・ディスクリプタは、各イベントを識別するイベント・コードを含む、請求項６に記載の方法。
【請求項８】
前記イベント・ディスクリプタが、前記イベント・コードの他に情報が必要とされないクエリにおいて使用するための追加フィールドを含んでいないかどうかを示すビット、あるいは、
前記フィールドがサポートされているが追加情報を提供していないかどうかを示すクエリにおいて使用するための１つの追加フィールド、あるいは、
イベント・ディスクリプタ長さフィールド及びイベント・サブコード・フィールドを含む２つの追加フィールド、
を前記イベント・ディスクリプタが備えている、請求項７に記載の方法。
【請求項９】
前記イベント・コードの他に情報が必要とされない場合にイベントを発行するときに使用するための追加フィールドを含んでいないかどうかを示すビット、あるいは、
イベント・ディスクリプタ長さフィールド及びイベント・サブコード・フィールドを含む２つの追加フィールド、
を前記イベント・ディスクリプタが備えている、請求項７に記載の方法。
【請求項１０】
前記イベント・ディスクリプタが、前記イベント・コードの他に情報が必要とされない場合に、イベントに登録するときに使用するための追加フィールドを含んでいないかどうかを示すビット、あるいは、
イベント・ディスクリプタ長さフィールド及びイベント・サブコード・フィールドを含む２つの追加フィールド、
を前記イベント・ディスクリプタが備えている、請求項７に記載の方法。
【請求項１１】
前記イベント・ディスクリプタは、残りのフィールドの長さに関する情報を含んでいるイベント・ディスクリプタ長さを有する、請求項７に記載の方法。
【請求項１２】
前記イベント・ディスクリプタは、イベントがサポートされているか否かに関するイベント・サポート情報を有する、請求項７に記載の方法。
【請求項１３】
前記イベント・ディスクリプタは、このイベントの登録が成功したか否かに関するイベント登録情報を有する、請求項７に記載の方法。
【請求項１４】
前記イベント・ディスクリプタ・イベント登録のためのフィールドは１ビットである、請求項１３に記載の方法。
【請求項１５】
前記イベント・ディスクリプタ・イベント登録のためのフィールドは１バイト以上であって、前記イベントがどのように報告されるかに関する情報を含んでいる、請求項１３に記載の方法。
【請求項１６】
各イベント・ディスクリプタは、イベントの特性を記述するイベント・サブコードを含む、請求項１３に記載の方法。
【請求項１７】
前記イベント・ディスクリプタ・コンテナは、１組の情報ディスクリプタの組み合わせを含み、
各情報ディスクリプタはイベントに関する情報タイプを一意的に識別するための情報を含む情報コードを含んでいる、請求項４に記載の方法。
【請求項１８】
各情報ディスクリプタは、その中のフィールドの長さを示す情報ディスクリプタ長さを含む、請求項１７に記載の方法。
【請求項１９】
前記１つのメディア非依存ハンドオフ機能モジュールによって受信されたシグナリングは、また、サポートされた各イベントに１つのイベント・ディスクリプタが投入された前記イベント・ディスクリプタ・コンテナを有するリスト・イベント・メッセージに関する情報を含む、請求項４に記載の方法。
【請求項２０】
前記１つのメディア非依存ハンドオフ機能モジュールにより提供される前記対応シグナリングは、また、どのイベントが、前記所与のメディア非依存ハンドオフ機能モジュールによってサポートされているイベント全体のリストを要求するための空のイベント・ディスクリプタ・コンテナを含んでいるリスト・イベント要求を含む所与のメディア非依存ハンドオフ機能モジュールによってサポートされているかを要求する情報を含む、請求項４に記載の方法。
【請求項２１】
前記１つのメディア非依存ハンドオフ機能モジュールにより受信したシグナリングが、また、前記所与のメディア非依存ハンドオフ機能モジュールによってサポートされたイベントが投入されたイベント・ディスクリプタ・コンテナを有するリスト・イベント応答メッセージについての情報を含む、請求項２０に記載の方法。
【請求項２２】
所与のメディア非依存ハンドオフ機能モジュールによってサポートされたイベント全体のリストへの登録を要求するための空のイベント・ディスクリプタ・コンテナ、あるいは、所与のメディア非依存ハンドオフ機能モジュールによってサポートされた特定のイベントへの登録を要求するための空でないイベント・ディスクリプタ・コンテナを含んだ登録メッセージを送ることによって、
前記１つのメディア非依存ハンドオフ機能モジュールにより提供される前記対応シグナリングは、また、イベントへ登録し、どのイベントが所与のメディア非依存ハンドオフ機能モジュールによってサポートされているかを要求する情報を含む、請求項４に記載の方法。
【請求項２３】
前記１つのメディア非依存ハンドオフ機能モジュールにより受信したシグナリングが、また、前記所与のメディア非依存ハンドオフ機能モジュールによってサポートされたイベントが投入された前記イベント・ディスクリプタ・コンテナを有する応答及び／または、前記所定のメディア非依存ハンドオフ機能モジュールによってサポートされた登録の状況に関する情報を含む、請求項２２に記載の方法。
【請求項２４】
前記１つのメディア非依存ハンドオフ機能モジュールにより受信した前記シグナリングが、各情報がサポートされた１つの情報ディスクリプタが投入された前記情報ディスクリプタ・コンテナを有するリスト情報メッセージに関する情報を含む、請求項４に記載の方法。
【請求項２５】
前記１つのメディア非依存ハンドオフ機能モジュールにより提供される前記対応シグナリングは、また、どの情報が所与のメディア非依存ハンドオフ機能モジュールによってサポートされているかを要求する情報を含み、
前記所与のメディア非依存ハンドオフ機能モジュールによってサポートされた情報全体のリストを要求するための空の情報ディスクリプタ・コンテナを含んだリスト情報要求または、１つの情報あるいは１組の情報がサポートされているかどうかを要求する空ではない情報ディスクリプタ・コンテナ、を含む、請求項４に記載の方法。
【請求項２６】
前記１つのメディア非依存ハンドオフ機能モジュールにより受信したシグナリングが、また、前記所与のメディア非依存ハンドオフ機能モジュールによってサポートされた前記情報を有する前記空でない情報ディスクリプタ・コンテナを有するリスト情報応答メッセージについての情報を含む、請求項２５に記載の方法。
【請求項２７】
別のネットワーク・ノードの別のメディア非依存ハンドオフ機能モジュールによってサポートされる１つ以上のイベントに関する情報を含むシグナリングを、前記１つ以上のイベントを取得する前に、受信し、前記シグナリングに応答して、前記別のメディア非依存ハンドオフ機能モジュールによってサポートされるか前記１つ以上のイベントを取得するために、情報を含む情報を提供する、ように構成された１つのメディア非依存ハンドオフ機能モジュール、
を備えたネットワーク・ノードを有するネットワーク。
【請求項２８】
前記対応するシグナリングが、前記１つのメディア非依存ハンドオフ機能モジュールが、特定のイベントを取得するための、あるいは、イベントのリストまたは情報のタイプを要求するための情報を含む、請求項２７に記載のネットワーク。
【請求項２９】
前記ネットワーク・ノードは、ノード、ポイント、端末、あるいはユーザ機器である、請求項２７に記載のネットワーク。
【請求項３０】
前記１つのメディア非依存ハンドオフ機能モジュールにより受信した前記シグナリングが、イベント・ディスクリプタ・コンテナ、情報ディスクリプタ・コンテナまたはこれらの組み合わせを含む、請求項２７に記載のネットワーク。
【請求項３１】
前記ネットワーク・ノードは、アクセス・ポイントである、請求項２７に記載のネットワーク。
【請求項３２】
前記ネットワーク・ノードは、基地局である、請求項２７に記載のネットワーク。
【請求項３３】
別のネットワーク・ノードの別のメディア非依存ハンドオフ機能モジュールによってサポートされる１つ以上のイベントに関する情報を含むシグナリングを、前記１つ以上のイベントを取得する前に受信し、
前記シグナリングに応答して、前記別のメディア非依存ハンドオフ機能モジュールによってサポートされた前記１つ以上のイベントを取得するための情報を含む情報を提供する、ように構成された１つのメディア非依存ハンドオフ機能モジュールを備えたネットワーク・ノード。
【請求項３４】
前記対応するシグナリングが、前記１つのメディア非依存ハンドオフ機能モジュールが、特定のイベントを取得するための、あるいは、イベントのリストまたは情報のタイプを要求するための情報を含む、請求項３３に記載のネットワーク・ノード。
【請求項３５】
前記ネットワーク・ノードは、ノード、ポイント、端末、あるいはユーザ機器である、請求項３３に記載のネットワーク・ノード。
【請求項３６】
前記１つのメディア非依存ハンドオフ機能モジュールにより受信した前記シグナリングが、イベント・ディスクリプタ・コンテナ、情報ディスクリプタ・コンテナまたはこれらの組み合わせを含む、請求項３３に記載のネットワーク・ノード。
【請求項３７】
前記ネットワーク・ノードは、アクセス・ポイントである、請求項３３に記載のネットワーク・ノード。
【請求項３８】
前記ネットワーク・ノードは、基地局である、請求項３３に記載のネットワーク・ノード。
【請求項３９】
前記方法は、ネットワークまたはシステム内のネットワーク・ノードにおける、プロセッサまたは他の好適な演算装置で動作するコンピュータ・プログラム上で実行される、請求項１に記載の方法。
【請求項４０】
ネットワーク・ノードの１つのメディア非依存ハンドオフ機能モジュールにおいて、シグナリングを受信するステップであって、該シグナリングが別のネットワーク・ノードの別のメディア非依存ハンドオフ機能モジュールによってサポートされる１つ以上のイベントに関する情報を含み、該シグナリングは、前記１つ以上のイベントを取得する前に、受信される、ステップと、
前記シグナリングに応答して、前記別のメディア非依存ハンドオフ機能モジュールによってサポートされた前記１つ以上のイベントを取得するための前記１つのメディア非依存ハンドオフ機能のための情報を含む対応するシグナリングを提供するステップと、
を含む方法を実行するためのコンピュータ実行可能なコンポーネントを有するコンピュータ可読媒体。
【請求項４１】
ネットワーク・ノードの１つのメディア非依存ハンドオフ機能モジュールにおいて、シグナリングを受信する手段であって、該シグナリングが別のネットワーク・ノードの別のメディア非依存ハンドオフ機能モジュールによってサポートされる１つ以上のイベントに関する情報を含み、該シグナリングは、前記１つ以上のイベントを取得する前に、受信される、手段と、
前記シグナリングに応答して、前記別のメディア非依存ハンドオフ機能モジュールによってサポートされた前記１つ以上のイベントを取得するための前記１つのメディア非依存ハンドオフ機能モジュールのための情報を含む対応するシグナリングを提供する手段と、を有する装置。